(57)【要約】【課題】手ぶれや被写体ぶれが発生した可能性が大きいことを撮影後すぐに撮影者に知らせることができるデジタルカメラを提供する。【解決手段】レリーズボタン１８１が押下されると、ＣＣＤ１１６により取り込まれた撮影画像を可搬記録媒体１９１に記録するとともに、その撮影画像のハイパスフィルタ処理出力値の積算値をＲＡＭ１７０に記憶し、その値とＲＡＭ１７０に記憶されている直前の画像の積算値とを、単位画素あたりの評価値として比較する。その結果、両者間に一定値以上の差がある場合、手ぶれや被写体ぶれが発生した可能性が大きい判断し、撮影ぶれ警告をモニタ用ＬＣＤ２１０に表示して、撮影者にその撮影画像の被写体の撮り直しを促す。【選択図】　　　図１
2004147185.tif 000002
【特許請求の範囲】
【請求項１】
被写体像を撮像デバイスで撮像し記録媒体に記録するデジタルカメラにおいて、
前記撮像デバイスからの出力画像にハイパスフィルタ処理を施す信号処理部と、
前記信号処理部からのハイパスフィルタ処理出力値を積算処理する積算処理部と、
前記記録媒体に記録した撮影画像の前記積算処理部による積算処理結果と当該撮影画像の直前に前記撮像デバイスにより取り込まれた画像の前記積算処理部による積算処理結果とを比較し、その比較結果に基づいて撮影時にぶれが発生した可能性があることを報知する撮影ぶれ報知処理部と、を備えたことを特徴とするデジタルカメラ。
【請求項２】
被写体像を撮像デバイスで撮像し記録媒体に記録するデジタルカメラにおいて、
表示部と、
前記撮像デバイスからの出力画像にハイパスフィルタ処理を施す信号処理部と、
前記記録媒体に記録した撮影画像の前記信号処理部によるハイパスフィルタ処理後の画像を前記表示部に表示させる表示処理部と、を備えたことを特徴とするデジタルカメラ。
【発明の詳細な説明】
【０００１】
【発明の属する技術分野】
本発明は、被写体を撮像してその画像データを記録媒体に記録するデジタルカメラに関し、特に撮影時にぶれが発生した可能性があることを撮影者に報知する機能を有するデジタルカメラに関する。
【０００２】
【従来の技術】
従来、被写体の明るさ、距離、絞り、シャッタ速度などにより手ぶれの発生を予測し、手ぶれ警告を発生する機能を備えたデジタルカメラがある。（特許文献１、特許文献２参照）
【０００３】
【特許文献１】
特開平１１−８８８１０号公報
【特許文献１】
特開２００２−２３２４３号公報
【０００４】
【発明が解決しようとする課題】
しかし、上記文献記載のデジタルカメラでは、手ぶれは発生していなくても、被写体ぶれの発生により、撮影に失敗してしまうことがあった。また、デジタルカメラでは、撮った画像をデジタルカメラの液晶モニタに表示させてその場で確認することができるが、デジタルカメラの液晶モニタは表示面積が小さいため、手ぶれや被写体ぶれまでは判別し難い。このため、デジタルカメラで撮った画像をパソコンのモニタに拡大表示したり、プリントしたりして初めて気付くことが多い。
【０００５】
本発明は、上記事情に鑑みなされたもので、その目的は、手ぶれや被写体ぶれが発生した可能性があることを撮影後すぐに撮影者に知らせることができるデジタルカメラを提供することにある。
【０００６】
【課題を解決するための手段】
上記目的を達成するために、請求項１記載の発明は、被写体像を撮像デバイスで撮像し記録媒体に記録するデジタルカメラにおいて、前記撮像デバイスからの出力画像にハイパスフィルタ処理を施す信号処理部と、前記信号処理部からのハイパスフィルタ処理出力値を積算処理する積算処理部と、前記記録媒体に記録した撮影画像の前記積算処理部による積算処理結果と当該撮影画像の直前に前記撮像デバイスにより取り込まれた画像の前記積算処理部による積算処理結果とを比較し、その比較結果に基づいて撮影時にぶれが発生した可能性があることを報知する撮影ぶれ報知処理部とを備えたことを特徴とする。
【０００７】
上記のように構成されたデジタルカメラは、撮影指示すなわち、撮像デバイスにより取り込まれた撮影画像を記録媒体に記録する指示がなされると、撮影画像を記録媒体に記録するとともに、当該撮影画像のハイパスフィルタ処理出力値の積算処理結果と当該撮影画像の直前に撮像デバイスにより取り込まれた画像のハイパスフィルタ処理出力値の積算処理結果とを比較し、その比較結果に基づいて撮影時にぶれが発生した可能性があることを報知する。
【０００８】
また、請求項２記載の発明は、被写体像を撮像デバイスで撮像し記録媒体に記録するデジタルカメラにおいて、表示部と、前記撮像デバイスからの出力画像にハイパスフィルタ処理を施す信号処理部と、前記記録媒体に記録した撮影画像の前記信号処理部によるハイパスフィルタ処理後の画像を前記表示部に表示させる表示処理部とを備えたことを特徴とする。
【０００９】
上記のように構成されたデジタルカメラは、撮影指示すなわち、撮像デバイスにより取り込まれた撮影画像を記録媒体に記録する指示がなされると、撮影画像を記録媒体に記録するとともに、当該撮影画像のハイパスフィルタ処理後の画像を表示する。ハイパスフィルタ処理後の画像は、被写体のエッジ（輪郭）のシャープさの度合いを濃淡で表現したグラデーション画像となる。
【００１０】
したがって、本発明のデジタルカメラによれば、手ぶれや被写体ぶれが発生した可能性があることを撮影後すぐに撮影者に知らせることができる。
【００１１】
【発明の実施の形態】
以下、本発明の実施の形態について、図面を用いて説明する。
【００１２】
図１は、本発明に係るデジタルカメラの構成例を示すブロック図である。このデジタルカメラ１００は、撮像部１１０、アナログ信号処理部１２０、Ａ／Ｄ変換部１３０、ハイパスフィルタ（以下、ＨＰＦと記す）処理部１４０、データ制御部１５０、積算処理部１６０、ＲＡＭ（Ｒａｎｄｏｍ　Ａｃｃｅｓｓ　Ｍｅｍｏｒｙ）１７０、操作部１８０、メディアインタフェース１９０、ＬＣＤドライバ２００、モニタ用ＬＣＤ（Ｌｉｑｕｉｄ　Ｃｒｙｓｔａｌ　Ｄｉｓｐｌａｙ）２１０、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒａｎｄｏｍ　Ａｃｃｅｓｓ　Ｍｅｍｏｒｙ　）２２０、ＣＰＵ（Ｃｅｎｔｒａｌ　Ｐｒｏｃｅｓｓｉｎｇ
Ｕｎｉｔ　）２３０、等を備えて構成される。
【００１３】
撮像部１１０は、レンズ１１１や絞り１１２などからなる光学系１１５と、撮像デバイスであるＣＣＤ（Ｃｈａｒｇｅ−Ｃｏｕｐｌｅｄ　Ｄｅｖｉｃｅｓ　）１１６とを備えて構成される。光学系１１５は、被写体像をＣＣＤ１１６の受光面に結像させる。ＣＣＤ１１６は、その受光部に入射した光の光量に応じた画像信号をアナログ信号処理部１２０へ出力する。
【００１４】
アナログ信号処理部１２０は、入力された画像信号にノイズ低減処理、白バランス処理、γ処理などの所定のアナログ信号処理を施し、処理後の信号をＡ／Ｄ変換部１３０へ出力する。Ａ／Ｄ変換部１３０は、入力されたアナログ信号をデジタル画像信号に変換してＨＰＦ処理部１４０へ出力する。
【００１５】
ＨＰＦ処理部１４０は、Ａ／Ｄ変換部１３０からの出力信号にハイパスフィルタ処理を施す。ＨＰＦ処理部１４０からの出力信号は、後述するグラデーション画像表示モードにおいては、ＲＡＭ１７０に一時記憶され、表示サイズに変換された後、表示部であるモニタ用ＬＣＤ２１０にスルー画表示される。
【００１６】
ＲＡＭ１７０は、ＨＰＦ処理部１４０から出力信号の一時記憶領域としても、Ａ／Ｄ変換部１３０からのデジタル画像信号を可搬記録媒体１７０に記録するに際し一旦蓄積するためのバッファ領域としても、ＣＰＵ２３０が各種処理を行う際のワーキング領域としても使用される。
【００１７】
ＨＰＦ処理部１４０から出力信号すなわちハイパスフィルタ処理値は、ＲＡＭ１７０に送られると同時に積算処理部１６０にも送られる。積算処理部１６０は、入力されたハイパスフィルタ処理出力値を積算処理する。積算処理部１６０による積算値は、ＲＡＭ１７０に一時記憶される。
【００１８】
データ制御部１５０は、圧縮・伸長処理部１５０ａ、ＹＣ分離処理部１５０ｂおよびＹＣ→ＲＧＢ変換部１５０ｃを備えている。圧縮・伸長処理部１５０ａは、ＲＡＭ１７０に蓄積された画像データをＪＰＥＧ方式などの所定の圧縮方式で圧縮して可搬記録媒体１９１に記録したり、可搬記録媒体１９１から読み出された画像データを伸長したりする。ＹＣ分離処理部１５０ｂは、圧縮・伸長処理部１５０ａに送られる未圧縮の画像データを輝度データＹと色差データＣｒ，Ｃｂとに変換する。ＹＣ→ＲＧＢ変換部１５０ｃは、可搬記録媒体１９１に記録された画像データ（撮影画像）をモニタ用ＬＣＤ２１０に表示する際に、ＹＣ分離信号を輝度信号、色差信号をＲＧＢ信号に変換する。このＲＧＢ信号に基づいてＬＣＤドライバ２００がモニタ用ＬＣＤ２１０を駆動することにより、モニタ用ＬＣＤ２１０にカラー画像が表示される。
【００１９】
可搬記録媒体１９１には、フラッシュメモリを搭載した小型メモリーカード等が用いられる。可搬記録媒体１９１への画像データの書き込み・読み出しは、メディアインタフェース１９０を介して行われる。
【００２０】
操作部１８０には、レリーズボタン１８１や撮影ぶれ報知モード選択ボタン１８２などが設けられている。レリーズボタン１８１は、デジタルカメラ１００に撮影開始を指示するための操作子であり、これを途中まで押すと、光学系１１５のフォーカス制御や絞り制御が行われ、完全に押した時点で撮影すなわち、ＣＣＤ１１６、アナログ信号処理部１２０およびＡ／Ｄ変換部１４０による撮影像の取り込みが行われる。その際、光学系１１１５は測光・測距ＣＰＵ（図示省略）によって制御され、ＣＣＤ１１６、アナログ信号処理部１２０およびＡ／Ｄ変換部１３０は撮像系制御回路（図示省略）によって制御される。
【００２１】
撮影ぶれ報知モード選択ボタン１８２は、撮影ぶれ報知モードを選択するための操作子である。撮影ぶれ報知モードには、手ぶれや被写体ぶれが発生した可能性が高い場合に、たとえば「撮影ぶれ発生」といった文字メッセージや特定の絵記号などによる撮影ぶれ警告をモニタ用ＬＣＤ２１０に表示することによりその旨を報知する警告表示モードと、撮影がなされる度に、被写体のエッジのシャープさの度合いを濃淡で表現したグラデーション画像をモニタ用ＬＣＤ２１０に表示することにより、手ぶれや被写体ぶれが発生したか否かを撮影者自信が判断できるようにするグラデーション画像表示モードとがある。
【００２２】
ＥＥＰＲＯＭ２２０には、このデジタルカメラ１００の各種機能を実現するためのプログラムとデータが格納されている。ＣＰＵ２３０は、ＥＥＰＲＯＭ２２０に格納されているプログラムを実行することにより、このデジタルカメラ１００を統括制御する。
【００２３】
次に、上記のように構成されたデジタルカメラ１００の動作について説明する。デジタルカメラ１００の基本的な機能は従来のものと同様であるので、ここでは本発明のカメラ特有の機能である撮影ぶれ報知機能について説明する。
【００２４】
デジタルカメラ１００は、警告表示モード時には、レリーズボタン１８１が押下されると、ＣＣＤ１１６により取り込まれた撮影画像を可搬記録媒体１９１に記録するとともに、その撮影画像のハイパスフィルタ処理出力値の積算値をＲＡＭ１７０に記憶し、その値とＲＡＭ１７０に記憶されている直前の画像の積算値とを、単位画素あたりの評価値として比較する。その結果、両者間に一定値以上の差がある場合、手ぶれや被写体ぶれが発生した可能性が高いと判断し、撮影ぶれ警告をモニタ用ＬＣＤ２１０に表示して、撮影者にその撮影画像の被写体の撮り直しを促す。
【００２５】
したがって、警告表示モードにおいては、撮影者は、レリーズボタン１８１を押下して撮影を行った後、モニタ用ＬＣＤ２１０に撮影ぶれ警告が表示されているか否かを確認することにより、手ぶれや被写体ぶれが発生した可能性が大きいか否かを撮影後すぐに確認することができる。そして、撮影ぶれ警告が表示されていた場合、必要があれば撮り直しを行うことができる。
【００２６】
また、デジタルカメラ１００は、グラデーション画像表示モード時には、レリーズボタン１８１が押下されると、ＣＣＤ１１６により取り込まれた撮影画像を可搬記録媒体１９１に記録するとともに、その撮影画像のハイパスフィルタ処理後の画像をモニタ用ＬＣＤ２１０にスルー表示する。ハイパスフィルタ処理後の画像は、図２に示すような、被写体のエッジのシャープさの度合いを濃淡で表現したグラデーション画像となる。撮影ぶれの度合いの小さいシャープな画像である程、グラデーション画像内の被写体のエッジの部分が明るく（白く）なる。したがって、図２の例では、（ｂ）の画像よりも（ａ）の画像の方が撮影ぶれが発生した可能性が大きいことがわかる。
【００２７】
したがって、グラデーション画像表示モードにおいては、撮影者は、レリーズボタン１８１を押下して撮影を行った後、モニタ用ＬＣＤ２１０に表示されたグラデーション画像内の被写体のエッジの部分の明るさを確認することにより、撮影ぶれが発生したか否かを判断することができる。そして、撮影ぶれが発生したと判断した場合、必要があれば撮り直しを行うことができる。
【００２８】
なお、上記の実施の形態では、警告表示モードにおいて、手ぶれや被写体ぶれが発生した可能性が高いと判断した場合、単にその旨を示す撮影ぶれ警告をモニタ用ＬＣＤ２１０に表示するようにしたが、「ＩＳＯ感度を上げて再撮影してください。」、「ストロボを使用してください。」といった撮影方法に関する指示メッセージを表示するようにしてもよい。また、撮影ぶれ警告や指示メッセージを音声によって知らせるようにしてもよい。
【００２９】
また、上記の例では、グラデーション画像表示モードにおいて、ハイパスフィルタ処理後の画像をそのままモニタ用ＬＣＤ２１０にスルー表示するようにしたが、グラデーションの度合いを強調する処理を行った後に表示するようにしてもよい。グラデーションの度合いを強調することで、被写体のエッジのシャープさの度合いを確認し易くできる。また、被写体のエッジのシャープさの度合いを色の違いで表現するようにしてもよい。
【００３０】
また、上記の例では、警告表示モードとグラデーション画像表示モードのどちらか一方のモードを選択するようにしたが、両方のモードを同時に選択できるようにしてもよい。両方のモードを同時に選択した場合、撮影を行う度に、モニタ用ＬＣＤ２１０にグラデーション画像が表示されるとともに、被写体ぶれが発生した可能性が大きければ撮影ぶれ警告も表示される。
【００３１】
また、上記の例では、警告表示モードとグラデーション画像表示モードの両方を備えたデジタルカメラについて説明したが、どちらか一方のモードのみ備えたデジタルカメラも本発明に含まれる。
【００３２】
また、上記の例では、撮影画像を記録する記録媒体がデジタルカメラに着脱可能な可搬型記録媒体である場合について説明したが、デジタルカメラに固定的に内蔵された記録媒体であってもよいことは言うまでもない。
【００３３】
【発明の効果】
以上説明したように、本発明によれば、撮影時にぶれが発生した可能性があることを撮影後すぐに撮影者に知らせることができるので、撮影者に再撮影を促して、撮影の失敗を減らすことができる。
【図面の簡単な説明】
【図１】本発明に係るデジタルカメラの構成例を示すブロック図である。
【図２】撮影画像のハイパスフィルタ処理後の画像の表示例を示す図であり、（ａ）は撮影時にぶれが発生した可能性が大きい場合の画像、（ｂ）は撮影時にぶれが発生した可能性が小さい場合の画像を示している。
【符号の説明】
１００：デジタルカメラ
１１６：ＣＣＤ（撮像デバイス）
１４０：ハイパスフィルタ処理部（信号処理部）
１６０：積算処理部
１７０：ＲＡＭ
１８１：レリーズボタン
１８２：撮影ぶれ報知モード選択ボタン
１９１：可搬型記録媒体
２１０：モニタ用ＬＣＤ（表示部）
２３０：ＣＰＵ（報知処理部、表示処理部）
【図１】
2004147185.tif 000003
【図２】
2004147185.tif 000004